(57)【要約】【課題】表示部よりも大きな領域を有する仮想画面を閲覧する携帯端末装置において、表示部に表示される仮想画面の表示領域の変更に関する操作性向上を図る。【解決手段】２つの筐体２，３と、筐体３に設けられ、各種情報を表示する表示部１１と、各種情報を含む仮想画面を記憶したメモリ部と、筐体２に設けられた操作部６と、表示部１１に仮想画面の少なくとも一部を表示させると共に、操作部６の操作により表示部１１への仮想画面の表示を変更する制御部とを備え、操作部６が、表示部１１に表示する仮想画面の表示領域を順次スクロールさせるスクロール操作部７と、表示部１１に表示する仮想画面の表示領域を別の表示領域に切り換える画面切換操作部１０１とを備え、表示部の右端および下端には、表示部に表示している仮想画面の表示位置を指示する画面位置情報を表示部に表示させるためのスクロールバーを有する携帯端末装置１を提供する。【選択図】図１
2007102808.tif 000002
【特許請求の範囲】
【請求項１】
少なくとも１つの筐体と、該筐体に設けられ、文字、記号、画像等の各種情報を表示する表示部と、前記各種情報を含む仮想画面を記憶したメモリ部と、前記筐体に設けられた操作部と、前記表示部に前記仮想画面の少なくとも一部を表示させると共に、前記操作部への入力に基づいて前記表示部への仮想画面の表示を変更する制御部とを備え、前記操作部が、前記表示部に表示する前記仮想画面の表示領域を順次スクロールさせるスクロール操作部と、前記表示部に表示する前記仮想画面の表示領域を別の表示領域に切り換える画面切換操作部とを備え、前記表示部の右端および下端には、該表示部に表示している前記仮想画面の表示位置を指示する画面位置情報を前記表示部に表示させるための上下スクロールバーおよび左右スクロールバーとを有し、該上下、左右スクロールバーは、帯状のレール部と、該帯状のレール部を移動可能なスクロールボックスとを少なくとも備えて構成され、さらに該スクロールボックスの長さは、前記仮想画面に対する前記表示部の上下、左右方向の相対的な長さに依存することを特徴とする携帯端末装置。
【請求項２】
前記レール部の長手方向に沿う前記仮想画面全体の長さが長くなる程、前記スクロールボックスの長さは短くなり、前記レール部の長手方向に沿う前記仮想画面全体の長さが短くなる程、前記スクロールボックスの長さは長くなることを特徴とする請求項１記載の携帯端末装置。
【請求項３】
前記スクロール操作部が、複数の押圧可能な方向キーから構成されていることを特徴とする請求項１又は請求項２に記載の携帯端末装置。
【請求項４】
前記画面切換操作部が、数字、文字、特殊記号を入力するための複数の押圧可能な記号キーを備えるテンキー部により構成され、複数の前記記号キーが、上下方向および左右方向に配列され、前記記号キーを押圧した際に、前記仮想画面の表示領域が、前記記号キーの配列方向にあわせて前記表示領域の上下左右の各方向に隣接して位置する別の表示領域に切り換えられることを特徴とする請求項１乃至請求項３のいずれか１項に記載の携帯端末装置。
【請求項５】
前記操作部が、前記表示部に表示している前記仮想画面の表示位置を、該仮想画面の基準位置に切り換える基準移動操作部を備えることを特徴とする請求項１乃至請求項４のいずれか１項に記載の携帯端末装置。
【請求項６】
前記基準移動操作部が、数字、文字、特殊記号を入力するための複数の押圧可能な記号キーを有するテンキー部により構成されていることを特徴とする請求項５に記載の携帯端末装置。
【発明の詳細な説明】
【技術分野】
【０００１】
本発明は、画像等の各種情報を表示する表示部および操作部を備えた携帯端末装置に関し、特に、各種情報を含み、表示部よりも大きな領域を有する仮想画面を閲覧する携帯端末装置に関する。
【背景技術】
【０００２】
一般に、携帯電話機、ＰＤＡ（Ｐｅｒｓｏｎａｌ  Ｄｉｇｉｔａｌ  Ａｓｓｉｓｔａｎｔｓ）等の携行可能な携帯端末装置には、文章、画像等の各種情報を表示するための表示部が設けられているが、この表示部の大きさは、パーソナルコンピュータのモニターと比較して小さいため、文章、画像等のデータを有する仮想画面を一括して表示部に表示できない場合が多々ある。従来、このような携帯端末装置には、表示部に表示させる仮想画面の表示領域を変更する指示入力部を備えたものがある（例えば、特許文献１参照。）。
【０００３】
指示入力部は、複数の押圧可能なスクロールキーからなり、携帯端末装置のユーザがスクロールキーを押圧することにより、表示部に表示させる仮想画面の表示領域が所定の方向に移動するようになっている。また、このスクロールキーの押圧方法によって表示部に表示する仮想画面の表示領域の変更方法が変わるようになっている。
【特許文献１】特開２００１−４２８５３号公報
【発明の開示】
【発明が解決しようとする課題】
【０００４】
しかしながら、上記従来の携帯端末装置においては、表示部に表示される仮想画面の表示領域の変更がスクロールキーの押圧方法により異なるため、操作ミスが発生する場合があり、スクロールキーの操作性が悪いという問題があった。
【０００５】
また、操作ミスが発生した場合には、表示部に表示される仮想画面の表示領域の位置を見失うことになるため、仮想画面の全体構成や内容の把握に時間を要するという問題があった。
【課題を解決するための手段】
【０００６】
本発明の携帯端末装置は、上述した事情に鑑みてなされたものであり、
請求項１に係る発明は、少なくとも１つの筐体と、該筐体に設けられ、文字、記号、画像等の各種情報を表示する表示部と、前記各種情報を含む仮想画面を記憶したメモリ部と、前記筐体に設けられた操作部と、前記表示部に前記仮想画面の少なくとも一部を表示させると共に、前記操作部への入力に基づいて前記表示部への仮想画面の表示を変更する制御部とを備え、前記操作部が、前記表示部に表示する前記仮想画面の表示領域を順次スクロールさせるスクロール操作部と、前記表示部に表示する前記仮想画面の表示領域を別の表示領域に切り換える画面切換操作部とを備え、前記表示部の右端および下端には、該表示部に表示している前記仮想画面の表示位置を指示する画面位置情報を前記表示部に表示させるための上下スクロールバーおよび左右スクロールバーとを有し、該上下、左右スクロールバーは、帯状のレール部と、該帯状のレール部を移動可能なスクロールボックスとを少なくとも備えて構成され、さらに該スクロールボックスの長さは、前記仮想画面に対する前記表示部の上下、左右方向の相対的な長さに依存することを特徴とする。
【０００７】
請求項２に係る発明は、前記レール部の長手方向に沿う前記仮想画面全体の長さが長くなる程、前記スクロールボックスの長さは短くなり、前記レール部の長手方向に沿う前記仮想画面全体の長さが短くなる程、前記スクロールボックスの長さは長くなることを特徴とする。
【０００８】
本発明に係る携帯端末装置によれば、表示部よりも大きな仮想画面に含まれる各種情報を表示部において閲覧する際には、仮想画面の一部を表示部に表示させ、操作部を操作して表示部への仮想画面の表示を変更する。
【０００９】
ここで、スクロール操作部を操作した場合には、表示部に表示される仮想画面の表示領域がスクロールして少しずつ移動するため、仮想画面に含まれる各種情報の内容を詳細に把握することができる。
【００１０】
また、画面切換操作部を操作した場合には、表示部に表示される仮想画面の表示領域が別の表示領域に切り換えられるため、スクロール操作部による表示領域の移動よりも速く移動でき、仮想画面に含まれる各種情報の構成全体を迅速に把握することができる。
【００１１】
そして、表示部に表示させる仮想画面の表示変更を行う２種類の操作が、スクロール操作部と画面切換操作部とに分けて設けられているため、表示部に表示される仮想画面の表示変更の操作を行う際に、操作ミスが発生することを防止できる。
【００１２】
さらに、仮想画面が表示部の表示領域よりも大きい場合に、仮想画面の表示位置を指示する画面位置情報を表示部に表示するようにしたため、表示部に表示させる仮想画面の表示領域の位置、および仮想画面全体の大きさを容易に把握できる。
【００１３】
請求項３に係る発明は、請求項１又は請求項２に記載の携帯端末装置において、前記スクロール操作部を複数の押圧可能な方向キーから構成したことを特徴とする。
【００１４】
請求項４に係る発明は、請求項１乃至請求項３のいずれか１項に記載の携帯端末装置において、前記画面切換操作部を、数字、文字、特殊記号を入力するための複数の押圧可能な記号キーを備えるテンキー部により構成し、複数の前記記号キーを上下方向および左右方向に配列し、前記記号キーを押圧した際に、前記仮想画面の表示領域が、前記記号キーの配列方向にあわせて前記表示領域の上下左右の各方向に隣接して位置する別の表示領域に切り換えられることを特徴とする。
【００１５】
本発明に係る携帯端末装置によれば、表示部に表示させる仮想画面の表示領域を変更する操作部として、一般の携帯電話機等に設けられている既存の方向キーやテンキー部を用いるため、仮想画面の表示領域を変更させるための新たなデバイスを設ける必要がない。
【００１６】
また、画面切換操作部を構成する複数の記号キーは、表示部に表示される仮想画面の表示領域の切り換え方向に一致する方向に配列されている。すなわち、例えば、上下方向に配列された複数の記号キーのうち、下側に位置する記号キーを押圧した際には、表示部に表示される仮想画面の表示領域が、表示領域の下側に隣接して位置する別の表示領域に移動することになる。したがって、画面切換操作部による表示領域の切り換え操作を容易に行うことができる。
【００１７】
請求項５に係る発明は、請求項１乃至請求項４のいずれか１項に記載の携帯端末装置において、前記操作部が、前記表示部に表示している前記仮想画面の表示位置を、該仮想画面の基準位置に切り換える基準移動操作部を備えることを特徴とする。
【００１８】
本発明に係る携帯端末装置によれば、基準移動操作部を操作した際には、表示部に表示される仮想画面の表示領域の位置が、仮想画面の端部や中央部等の基準位置に切り換えられる。すなわち、例えば、表示部に表示される仮想画面の表示位置が仮想画面の一端部となっている状態において、基準移動操作部を操作した場合には、表示部に表示される仮想画面の表示位置が一端部から中央部に変更される。したがって、表示部に表示される仮想画面の表示位置を所望の位置までさらに速く移動させることが可能となる。
【００１９】
また、表示部に表示される仮想画面の表示位置が不明瞭になっても、この表示位置を仮想画面の基準位置に移動することにより、表示部に表示される仮想画面の表示位置を把握することができる。
【００２０】
請求項６に係る発明は、請求項５に記載の携帯端末装置において、前記基準移動操作部を、数字、文字、特殊記号を入力するための複数の押圧可能な記号キーを有するテンキー部により構成したことを特徴とする。
【００２１】
本発明に係る携帯端末装置によれば、基準移動操作部として、一般的に携帯電話機等に設けられている既存のテンキー部を用いることにより、仮想画面の表示位置を基準位置に切り換えるための新たなデバイスを設ける必要がない。
【発明の効果】
【００２２】
請求項１、請求項２に係る本発明の携帯端末装置によれば、表示部に表示させる仮想画面の表示領域を変更する操作部が、スクロール操作部と画面切換操作部とに分けて設けられているため、操作ミスの発生を防止して仮想画面に含まれる各種情報の内容および構成全体を迅速かつ容易に把握できる。
【００２３】
また、表示部に表示させる仮想画面の表示領域の位置、および仮想画面全体の大きさを容易に把握できるため、表示部に表示させる仮想画面の表示領域の移動を容易に行うことができると共に、表示部に表示させる仮想画面の表示領域を変更する操作性の向上を図ることができる。
【００２４】
また、請求項３、請求項４及び請求項６に係る発明によれば、表示部に表示される仮想画面の表示変更を行うための新たなデバイスを設ける必要がないため、携帯端末装置のコスト削減を図ることができる。
【００２５】
また、請求項４に係る発明によれば、画面切換操作部を構成する複数の記号キーは、表示部に表示される仮想画面の表示領域の切り換え方向に一致する方向に配列されているため、表示領域の切り換え操作を容易にできる。
【００２６】
また、請求項５に係る発明によれば、基準移動操作部を操作することで、表示部に表示される仮想画面の表示位置を所望の位置までさらに速く移動させることが可能となるため、仮想画面に含まれる所望の各種情報を迅速に把握できる。
【００２７】
また、仮想画面の表示位置が基準位置に切り換えられるため、表示部に表示されている仮想画面の表示位置が不明瞭になっても、表示部に表示される仮想画面の表示位置を把握することができる。
【発明を実施するための最良の形態】
【００２８】
図１から図６は本発明に係る一実施形態を示す。ここで説明する実施の形態は、この発明を折畳み型携帯電話機に適用した場合のものである。図１に示すように、この実施の形態に係る折畳み型携帯電話機（携帯端末装置）１は、第１の筐体２と第２の筐体３と、これら２つの筐体２，３を互いに折り畳み自在に連結する連結手段４とを備えており、２つの筐体２，３の内面２ａ，３ａを互いに覆い隠すことができるように構成されている。
【００２９】
第１の筐体２の内面２ａには、操作部６が設けられており、この操作部６は、方向キー（スクロール操作部）７と、「０」〜「９」キーおよび「＊」キー、「＃」キーの記号キーからなるテンキー部８とを備えている。方向キー７は、上下左右の４方向にそれぞれ押圧可能となっており、それぞれの押圧位置を「上」キー、「下」キー、「右」キー、「左」キーとする。また、合計１２個の記号キーからなるテンキー部８は、４行３列に配列されており、それぞれ押圧可能となっている。これら記号キーのうち、「１」〜「９」キーがテンキー部８の左上から右に向けて順番に配され、「＊」キー、「０」キー、「＃」キーがテンキー部８の下端に左から右に向けて順番に配されている。
【００３０】
また、第１の筐体２の内面２ａのうち、第１の筐体２の先端部２ｂ（連結手段４と反対側の端部）にはマイクロフォン９が設けられている。
【００３１】
第２の筐体３の内面３ａには、文字、記号、画像等の各種情報を表示する略矩形状の表示部１１が設けられている。また、表面３ａのうち、第２の筐体３の先端部３ｂ（連結手段４と反対側の端部）には、前述したマイクロフォン部９と共に通話の際に使用するスピーカー１２が設けられている。
【００３２】
また、この折り畳み型携帯電話機１には、図２に示すように、通信部１５、メモリ部１７、および制御部１９が設けられている。
【００３３】
通信部１５は、図示しない通信ネットワークを介して、他の電話機との間で通話したり、図示しない他の端末装置やサーバとの間で電子メール、インターネットのホームページ等の各種情報を送受信するものである。
【００３４】
メモリ部１７は、画面メモリ部２１、ソフトウェアメモリ部２２、操作機能メモリ部２３とを備えている。
【００３５】
画面メモリ部２１には、文字、記号、画像等の各種情報を含む仮想画面が記憶されている。この仮想画面は、表示部１１において閲覧するためのものであり、例えば、図３に示すように、インターネットのホームページ等、各種情報が所定位置に配列されているものである。この仮想画面２５には、表示部１１と同等の領域のものに限らず、表示部１１よりも小さい領域や大きい領域を有するものもある。したがって、例えば、パーソナルコンピュータに表示するための構成を有するインターネットのホームページのように、仮想画面２５が表示部１１よりも大きい場合、表示部１１には仮想画面２５の一部のみが表示されることになる。
【００３６】
ソフトウェアメモリ部２２には、通話機能、電子メールの閲覧および作成を行うためのメール機能、インターネットのホームページを閲覧するためのブラウザ等の各種ソフトウェアが記憶されている。なお、これらメール機能およびブラウザには、仮想画面２５が表示部１１の表示領域２５ａよりも大きい場合に、仮想画面２５の表示位置を指示する画面位置情報を表示部１１に表示するための演算プログラムが含まれている。
【００３７】
画面位置情報は、図４（ａ）に示すように、表示部１１の右端に表示される上下スクロールバー３１と、表示部１１の下端に表示される左右スクロールバー３３とを備えている。
【００３８】
これら２つのスクロールバー３１，３３は、それぞれ帯状の仮想レール部３５と、この仮想レール部３５の長手方向に移動可能なスクロールボックス３７と、スクロールボックス３７の移動方向を指し示すスクロール矢印３９ａ〜３９ｄとを備えている。
【００３９】
仮想レール部３５の長さは、仮想画面２５の上下方向や左右方向の全長を示しており、スクロールボックス３７の位置は、表示部１１に表示される仮想画面２５の上下方向や左右方向に関する表示領域２５ａの位置を示している。
【００４０】
したがって、例えば、上下スクロールバー３１のスクロールボックス３７が仮想レール部３５の上端に位置する場合には、表示部１１に表示される表示領域２５ａが、仮想画面２５の上端に位置することになる。また、例えば、上下スクロールバー３１のスクロールボックス３７が仮想レール部３５の下端に位置する場合には、表示領域２５ａが仮想画面２５の下端に位置することになる。
【００４１】
また、仮想レール部３５の長手方向に沿うスクロールボックス３７の長さは、仮想画面２５に対する表示部１１の上下方向や左右方向の相対的な長さを示している。すなわち、仮想レール部３５の長手方向に沿う仮想画面２５全体の長さが長くなる程、スクロールボックス３７の長さが短くなり、仮想レール部３５の長手方向に沿う仮想画面２５全体の長さが短くなる程、スクロールボックス３７の長さが長くなる。
【００４２】
操作機能メモリ部２３には、方向キー７、記号キー等の操作部６の各操作キーに、折り畳み型携帯電話機１の通話機能やブラウザ等の各種ソフトウェアにそれぞれ適したコマンドを割り当てるためのテーブルが複数記憶されている。
【００４３】
すなわち、例えば、数字や文字を入力して文章を作成する際には、テンキー部８の各記号キーに数字や文字を入力するためのコマンドを対応づけたテーブルを使用する。また、例えば、表示部１１よりも大きな仮想画面２５を閲覧する際には、例えば、表１に示すテーブルを使用する。
【表１】
2007102808.tif 000003
【００４４】
このテーブルにおいては、方向キー７およびテンキー部８の各記号キーと、表示部１１に表示される仮想画面２５の表示を変更するためのコマンドとが対応づけられている。
【００４５】
すなわち、４つの方向キー７は、それぞれ表示部１１に表示される仮想画面２５の表示領域２５ａを上下左右の各方向にスクロールさせるコマンドに対応づけられており、各方向キー７を押圧することにより表示領域２５ａを所定の方向に順次スクロールさせるスクロール操作部となっている。
【００４６】
したがって、例えば、方向キー７の「右」キーを継続して押圧した場合には、図３に示すように、仮想画面２５の表示領域２５ａが連続的に右方向（Ａ方向）に移動するようにスクロールする。また、例えば、方向キー７の「下」キーを継続して押圧した場合には、仮想画面２５の表示領域２５ａが連続的に下方向（Ｃ方向）に移動するようにスクロールする。
【００４７】
テンキー部８の「３」キー、「９」キー、「＊」キー、「＃」キーは、それぞれ表示部１１に表示される仮想画面２５の表示領域２５ａを、この表示領域２５ａの上下左右の各方向に隣接して位置する別の表示領域に切り換えるコマンドに対応づけられている。
【００４８】
すなわち、例えば、「３」キーを１回押圧した際には、図５に示すように、表示部１１に表示される仮想画面２５の表示領域２５ａが、仮想画面２５の上方向（Ｄ方向）に瞬時に移動するように、この表示領域２５ａの上端部に隣接する別の表示領域２５ｂに切り換えられることになる。また、「９」キー、「＊」キー、「＃」キーを１回押圧した際にも同様にして、それぞれ表示領域２５ａの下端部、左端部、右端部に隣接する別の表示領域２５ｃ〜２５ｅに切り換えられることになる。
【００４９】
なお、表示領域２５ａから別の表示領域２５ｂ〜２５ｅへの切換の際には、その一部が重なるようになっており、切換前後の表示領域の対応関係を容易に把握できるようになっている。
【００５０】
図４（ｂ）に示すように、これらテンキー部８の「３」キー、「９」キー、「＊」キー、「＃」キーにより、表示部１１に表示される表示領域２５ａから隣接する別の表示領域２５ｂ〜２５ｅに切り換える画面切換操作部１０１が構成されている。
【００５１】
テンキー部８の「６」キーおよび「０」キーは、それぞれ表示部１１に表示している仮想画面２５の表示領域２５ａの位置（表示位置）を、仮想画面２５の中央位置（基準位置）に切り換えるコマンドに対応づけられている。
【００５２】
したがって、例えば、表示領域２５ａが、仮想画面２５の横幅寸法の中心線Ｌ１よりも左側に位置している状態において、「０」キーを１回押圧した際には、図６に示すように、表示部１１に表示している表示領域２５ａが、Ａ方向に瞬時に移動するように仮想画面２５の横幅寸法の中央に位置する別の仮想領域２５ｆに切り換えられる。つまり、表示領域２５ａの横幅寸法の中心線が、仮想画面２５の横幅寸法の中心線Ｌ１に重なることになる。
【００５３】
また、例えば、仮想画面２５の縦幅寸法の中心線Ｌ２よりも上側に位置している状態において、「６」キーを１回押圧した際には、表示領域２５ａの縦幅寸法の中心線が仮想画面２５の縦幅寸法の中心線Ｌ２に重なるように、表示領域２５ａが、Ｃ方向に瞬時に移動するように仮想画面２５の縦幅寸法の中央に位置する別の表示領域２５ｇに切り換えられる。
【００５４】
図４（ｂ）に示すように、これらテンキー部８の「６」キー、「０」キーにより、表示領域２５ａから仮想画面２５の中央位置となる別の表示領域２５ｆ，２５ｇに切り換える基準移動操作部１０２が構成されている。
【００５５】
なお、表示領域２５ａの上下方向（ＣＤ方向）に位置する別の表示領域に切り換える「３」キー、「６」キー、「９」キーは、図４に示すように、テンキー部８の右端の上下方向に配列されており、これらの配列方向は、表示部１１の右端に表示される上下スクロールバー３１のスクロールボックス３７の移動方向（ＣＤ方向）に一致している。
【００５６】
また、表示領域２５ａの左右方向（ＡＢ方向）に位置する別の表示領域に切り換える「＊」キー、「０」キー、「＃」キーは、テンキー部８の下端の左右方向に配列されており、これらの配列方向は、表示部１１の右端に表示される左右スクロールバー３３のスクロールボックス３７の移動方向（ＡＢ方向）に一致している。
【００５７】
制御部１９は、折り畳み型携帯電話機１のユーザの操作に基づいて各種機能・ソフトウェアを起動すると共に、各種機能やソフトウェアに応じたテーブルを操作機能メモリ部２３から選択的に読み出して、方向キー７およびテンキー部８に各種コマンドを割り当てるようになっている。また、この制御部１９は、通信部１５において取得した仮想画面２５等の各種情報を画面メモリ部２１に記憶させ、操作部６の操作に基づいて各種情報を表示部１１に表示させるようになっている。さらに、この制御部１９は、仮想画面２５が大きい場合に、ブラウザやメール機能に含まれる演算プログラムをソフトウェアメモリ部２２から読み出して、２つのスクロールバー３１，３３を表示部１１に表示させるようになっている。
【００５８】
以上のように構成された折り畳み型携帯電話機１の動作について説明する。
【００５９】
この折り畳み型携帯電話機１において、例えば、インターネットのホームページを閲覧する場合には、操作部６において所定の操作を行うことにより、図７に示すように、制御部１９が、ブラウザを起動してホームページである仮想画面２５を表示部１１に表示させる（ステップＳ１）。なお、仮想画面２５の領域が表示部１１よりも大きい場合には、制御部１９が、表示部１１の大きさに相当する仮想画面２５の表示領域２５ａのみを表示部１１に表示させると共に、表示部１１の右端および下端に、それぞれ上下スクロールバー３１および左右スクロールバー３３を表示させる。
【００６０】
そして、表示部１１に表示されない仮想画面２５の他の領域を閲覧する場合には、方向キー７やテンキー部８の「１」〜「０」キー、「＊」キーおよび「＃」キーを押圧することにより（ステップＳ２）、制御部１９が、押圧されたキーの種類に応じて、表示部１１に表示される仮想画面２５の表示領域を適宜切り換えるコマンドを操作機能メモリ部２３から読み出す（ステップＳ３〜Ｓ１２）。
【００６１】
すなわち、例えば、方向キー７の「左」キーを押圧した際には、制御部１９が、仮想画面２５の表示領域２５ａを仮想画面２５の左方向にスクロールさせるコマンドを読み出す（ステップＳ３）。また、例えば、テンキー部８の「＊」キーを１回押圧した際には、制御部１９が、仮想画面２５の表示領域２５ａを表示領域２５ａの左側に位置する別の表示領域２５ｃに切り換えるコマンドを読み出す（ステップＳ４）。
【００６２】
そして、制御部１９は、これら各コマンドに基づいて、表示部１１に表示させる仮想画面２５の表示領域を適宜更新する（ステップＳ１）。なお、この際には、制御部１９が、表示部１１に表示される左右スクロールバー３３のスクロールボックス３７を仮想レール部３５に沿って１ブロック分（スクロールボックス３７の縦幅寸法分）左方向に移動させる。
【００６３】
上記のように、この折り畳み型携帯電話機１によれば、スクロール操作部である方向キー７を操作することにより、表示部１１に表示される仮想画面２５の表示領域２５ａがスクロールして少しずつ移動するため、仮想画面２５に含まれる各種情報の内容を詳細に把握することができる。
【００６４】
また、画面切換操作部１０１である「３」キー、「９」キー、「＊」キーおよび「＃」キーを操作することにより、表示部１１に表示される仮想画面２５の表示領域２５ａが隣接する別の表示領域２５ｂ〜２５ｅに切り換えられるため、スクロール操作部による表示領域の移動よりも速く移動でき、仮想画面２５に含まれる各種情報の構成全体を迅速に把握することができる。
【００６５】
そして、これらスクロール操作部と画面切換操作部１０１とが、第１の筐体２の内面２ａに別々に設けられているため、表示部１１に表示される仮想画面２５の表示変更の操作を行う際に、操作ミスが発生することを防止できる。したがって、この折り畳み型携帯電話機１においては、パーソナルコンピュータの大きなモニターに表示するための仮想画面２５の構成を変更することなく、仮想画面２５に含まれる各種情報の内容および構成全体を迅速かつ容易に把握できる。
【００６６】
さらに、基準移動操作部１０２である「６」キーおよび「０」キーを操作することにより、表示部１１に表示される仮想画面２５の表示位置が、仮想画面２５の中央位置に切り換えられるため、仮想画面２５の表示位置を所望の位置までさらに速く移動させることが可能となり、仮想画面に含まれる所望の各種情報をさらに迅速に把握できる。
【００６７】
また、表示部１１に表示される仮想画面２５の表示位置が不明瞭になっても、この表示位置を仮想画面２５の中央位置に移動することにより、表示部１１に表示される仮想画面２５の表示位置を容易に把握できる。
【００６８】
さらに、これらスクロール操作部、画面切換操作部１０１および基準移動操作部１０２が、一般の携帯電話機等に設けられている既存の方向キー７やテンキー部８を用いるため、仮想画面２５の表示変更のために新たなデバイスを設ける必要がなく、折り畳み型携帯電話機１のコスト削減を図ることができる。
【００６９】
また、制御部１９が、仮想画面２５の表示領域の位置情報を示す２つのスクロールバー３１，３３を表示部１１に表示させるため、表示部１１に表示させる仮想画面２５の表示領域の位置、および仮想画面２５全体の大きさを容易に把握できる。したがって、表示部１１に表示させる仮想画面２５の表示領域の移動を容易に行うことができると共に、表示部１１に表示させる仮想画面２５の表示変更する操作性の向上を図ることができる。
【００７０】
さらに、テンキー部８の右端の上下方向に配列された「３」キー、「６」キーおよび「９」キーにより、仮想画面２５の上下方向（ＣＤ方向）に表示部１１に表示させる表示領域を変更する操作が実行されるため、上下方向の表示領域変更に関連する記号キーであることを容易に認識できる。
【００７１】
また、テンキー部８の下端の左右方向に配列された「＊」キー、「０」キーおよび「＃」キーにより、仮想画面２５の左右方向（ＡＢ方向）に表示部１１に表示させる表示領域を変更する操作が実行されるため、左右方向の表示領域変更に関連する記号キーであることを容易に認識できる。
【００７２】
したがって、これら表示領域を変更する操作のための記号キーと、表示部１１の右端および下端に表示される２つのスクロールバー３１，３３との対応関係を容易に把握することができるため、表示領域の変更操作を容易に行うことができる。
【００７３】
なお、上記の実施の形態においては、「３」キー、「９」キー、「＊」キーおよび「＃」キーに、仮想画面２５の表示領域２５ａに隣接する別の表示領域に切り換えるコマンドを対応づけたテーブルを操作機能メモリ部２３に記憶させるとしたが、これに限ることはない。例えば、このテーブルに加えて、「３」キー、「９」キー、「＊」キーおよび「＃」キーに、基準移動部１０２としてのコマンドを対応づけたテーブルを操作機能メモリ部２３に記憶させても構わない。
【００７４】
すなわち、例えば、「３」キーを１回押圧した際に、表示部１１に表示される表示領域２５ａが仮想画面２５の上端に移動し、「９」キーを１回押圧した際に、表示部１１に表示される表示領域２５ａが仮想画面２５の下端に移動するコマンド、および、「＊」キーを１回押圧した際に、表示部１１に表示される表示領域２５ａが仮想画面２５の左端に移動し、「＃」キーを１回押圧した際に、表示部１１に表示される表示領域２５ａが仮想画面２５の右端に移動するコマンドを備えたテーブルを操作機能メモリ部２３に記憶させるとしてもよい。このテーブルを使用する場合には、所定の操作キーを１回押圧するだけで仮想画面２５の周縁部を表示部１１に表示させることができる。
【００７５】
また、基準移動部１０２としてのコマンドは、上下方向に配列された「３」キー、「６」キー、「９」キー、および左右方向に配列された「＊」キー、「０」キー、「＃」キーに限らず、例えば、「１」〜「９」キーに対応づけたものとしてもよい。
【００７６】
この場合には、図８に示すように、仮想画面２５全体を「▲１▼」から「▲９▼」まで合計９個の領域に分割して、表示部１１に表示される表示領域を「１」〜「９」キーの各数字に応じた「▲１▼」〜「▲９▼」の領域に移動させるコマンドを対応づけたテーブルを操作機能メモリ部２３に記憶させておく。この構成の場合には、「１」〜「９」キーを１回だけ押圧することにより、表示部１１に表示される表示領域が、仮想画面２５の代表的な各端部および中央部に瞬時に切り換えられることができる。
【００７７】
また、表示部１１にスクロールバー３１，３３を表示するとしたが、これに限ることはなく、少なくとも仮想画面２５の表示位置を指示する画面位置情報が表示部１１に表示されればよい。したがって、画面位置情報を表示部１１に表示する簡易マップにより構成するとしてもよい。ここで、簡易マップとは、仮想画面２５の外枠を描いたものに、表示部１１に表示される表示位置を示す点が表示されているものを言う。
【００７８】
さらに、パーソナルコンピュータ用に構成された仮想画面２５を、表示部１１の左右方向の幅寸法に合わせて、縦長に変換する変換プログラムをソフトウェアメモリ部２２に記憶させても構わない。この構成の場合には、折り畳み型携帯電話機１のユーザが所定の操作キーを操作することにより、制御部１９が変換プログラムを読み出して仮想画面２５の構成を変換することになる。そして、この変換を実行した場合には、表示部１１に表示される縦長の仮想画面２５の表示領域のスクロール方向や切換方向は、上下方向のみとなるため、操作が容易となる。
【００７９】
ただし、幅寸法の大きい画像が省略され、また、文字の大きさ、文章の構成等が変更されるため、仮想画面２５の本来の構成を把握することが困難となる。
【００８０】
また、折り畳み型携帯電話機１に限ることはなく、ＰＤＡのように、２つの筐体を連結手段により互いに回動可能、かつ開閉自在に連結した携帯端末装置であればよい。また、携帯端末装置は、２つの筐体を有することに限ることはなく、例えば、１つの筐体から構成されていてもよい。
【００８１】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００８２】
【図１】本発明の一実施形態に係る折り畳み型携帯電話機の第１、第２の筐体を相互に開いた状態を示す平面図である。
【図２】図１の折り畳み型携帯電話機において、電気的な構成を示すブロック図である。
【図３】図１の折り畳み型携帯電話機において、方向キーによる表示領域のスクロール移動を示す図である。
【図４】図１の折り畳み型携帯電話機の要部を示しており、（ａ）は、表示部の表示状態を示す図であり、（ｂ）は、テンキー部を示す概略図である。
【図５】図１の折り畳み型携帯電話機において、テンキー部による表示領域の画面切り換えを示す図である。
【図６】図１の折り畳み型携帯電話機において、テンキー部による表示領域の画面切り換えを示す図である。
【図７】図１の折り畳み型携帯電話機において、方向キーや記号キーの押圧に基づく表示部の表示変更を行う制御フローを示す図である。
【図８】本発明の他の実施形態に係る折り畳み型携帯電話機において、仮想画面を分割した状態を示す図である。
【符号の説明】
【００８３】
１  折り畳み型携帯電話機（携帯端末装置）
２  第１の筐体
３  第２の筐体
６  操作部
７  方向キー（スクロール操作部）
８  テンキー部
１１  表示部
１７  メモリ部
１９  制御部
２５  仮想画面
２５ａ〜２５ｇ  表示領域
１０１  画面切換操作部
１０２  基準移動操作部
【図１】
2007102808.tif 000004
【図２】
2007102808.tif 000005
【図３】
2007102808.tif 000006
【図４】
2007102808.tif 000007
【図５】
2007102808.tif 000008
【図６】
2007102808.tif 000009
【図７】
2007102808.tif 000010
【図８】
2007102808.tif 000011